Podtech/llm-jp-corpus-v4-ja_patent huggingface dataset:
【手続補正書】
【提出日】平成31年3月5日(2019.3.5)
【手続補正１】
【補正対象書類名】特許請求の範囲
【補正対象項目名】全文
【補正方法】変更
【補正の内容】
【特許請求の範囲】
【請求項１】
空気入りタイヤのピン孔に装着されるスタッドピンであって、
円柱状のボディと、
前記ボディの軸心方向の一端部から突出するシャフトと、
前記ボディの軸心方向の他端部に設けられ、平面視で、前記軸心に直交する横軸を中心として、前記軸心および前記横軸に直交する縦軸方向に非対称に形成され、前記縦軸を中心として対称であり、前記縦軸方向の一端部側に前記軸心を中心とする円弧状部を備える台座部と
を備え、
前記台座部は、前記縦軸が前記空気入りタイヤのタイヤ周方向に沿うように配置され、平面視で、前記縦軸方向の長さが、前記横軸方向の長さに比べて長い、スタッドピン。
【請求項２】
前記台座部は、平面視で、前記縦軸を挟んで両側において、前記軸心から前記縦軸方向の他端部側へ進むにつれて前記縦軸に向かって傾斜する、一対の傾斜部を有する、
請求項１に記載のスタッドピン。
【請求項３】
前記台座部は、平面視で、前記傾斜部と他の部分との境界部分が角部で構成されている、
請求項２に記載のスタッドピン。
【請求項４】
前記傾斜部は、前記横軸に対して前記縦軸方向の前記他端部側に位置している、
請求項３に記載のスタッドピン。
【請求項５】
前記台座部は、平面視で、前記ボディから全周ではみ出すように形成されている、
請求項１〜４のいずれか１つに記載のスタッドピン。
【請求項６】
前記ボディは、上端外縁部にテーパ面を有する、
請求項１〜５のいずれか１つに記載のスタッドピン。
【請求項７】
請求項１〜６のいずれか１つのスタッドピンと、
トレッド部に形成され、前記スタッドピンが装着されるピン穴と
を備えている、空気入りタイヤ。
【手続補正２】
【補正対象書類名】明細書
【補正対象項目名】発明の名称
【補正方法】変更
【補正の内容】
【発明の名称】スタッドピン及びスタッドピンを備えた空気入りタイヤ
【手続補正３】
【補正対象書類名】明細書
【補正対象項目名】０００６
【補正方法】変更
【補正の内容】
【０００６】
本発明は、前記課題を解決するための手段として、空気入りタイヤのピン孔に装着されるスタッドピンであって、円柱状のボディと、前記ボディの軸心方向の一端部から突出するシャフトと、前記ボディの軸心方向の他端部に設けられ、平面視で、前記軸心に直交する横軸を中心として、前記軸心および前記横軸に直交する縦軸方向に非対称に形成され、前記縦軸を中心として対称であり、前記縦軸方向の一端部側に前記軸心を中心とする円弧状部を備える台座部とを備えている、スタッドピンを提供する。
【手続補正４】
【補正対象書類名】明細書
【補正対象項目名】００１０
【補正方法】変更
【補正の内容】
【００１０】
前記台座部は、前記縦軸が前記空気入りタイヤのタイヤ周方向に沿うように配置され、平面視で、前記縦軸方向の長さが、前記横軸方向の長さに比べて長くてもよい。
【手続補正５】
【補正対象書類名】明細書
【補正対象項目名】００１２
【補正方法】変更
【補正の内容】
【００１２】
前記台座部は、平面視で、前記縦軸を挟んだ両側において、前記縦軸方向において、他端部側に向かって前記縦軸側へ傾斜して延びる、一対の傾斜部を有していてもよい。
また、前記台座部は、平面視で、前記傾斜部と他の部分との境界部分が角部で構成されていてもよい。
【手続補正書】
【提出日】平成31年3月5日(2019.3.5)
【手続補正１】
【補正対象書類名】特許請求の範囲
【補正対象項目名】全文
【補正方法】変更
【補正の内容】
【特許請求の範囲】
【請求項１】
円柱状で、外周面に軸心と平行な側面が形成されることにより、一端側外縁部にエッジ部を有するボディと、前記ボディから突出するシャフトとを備えたスタッドピンと、
トレッド部に形成され、前記スタッドピンが装着されるピン穴と、
を備え、
前記スタッドピンは、前記ボディのエッジ部がタイヤ蹴出側で、タイヤ周方向に直交するように配置されていることを特徴とするスタッドタイヤ。
【請求項２】
円柱状で、外周面に軸心と平行な側面が形成されることにより、一端側外縁部にエッジ部を有するボディと、前記ボディから突出するシャフトとを備えたスタッドピンと、
トレッド部に形成され、前記スタッドピンが装着されるピン穴と、
を備え、
前記スタッドピンは、前記ボディのエッジ部がタイヤ踏込側で、タイヤ周方向に直交するように配置されていることを特徴とするスタッドタイヤ。
【請求項３】
前記シャフトは、前記ボディから突出する第１突部と、前記第１突部から突出する第２突部とからなり、前記第１突部と前記第２突部は、平面視での外形形状が非相似形であることを特徴とする請求項１又は２に記載のスタッドタイヤ。
【請求項４】
前記第１突部と前記第２突部は、少なくとも一方は平面視多角形で構成されていることを特徴とする請求項３に記載のスタッドタイヤ。
【請求項５】
前記第１突部は、前記第２突部に比べてエッジの数が多いことを特徴とする請求項３又は４に記載のスタッドタイヤ。
【請求項６】
前記ボディからの前記第１突部の突出寸法は、前記第１突部からの前記第２突部の突出寸法に比べて大きいことを特徴とする請求項３から５のいずれか１項に記載のスタッドタイヤ。
【手続補正２】
【補正対象書類名】明細書
【補正対象項目名】発明の名称
【補正方法】変更
【補正の内容】
【発明の名称】スタッドピンを備えたスタッドタイヤ
【手続補正３】
【補正対象書類名】明細書
【補正対象項目名】０００１
【補正方法】変更
【補正の内容】
【０００１】
本発明は、スタッドピンを備えたスタッドタイヤに関するものである。
【手続補正４】
【補正対象書類名】明細書
【補正対象項目名】０００５
【補正方法】変更
【補正の内容】
【０００５】
本発明は、装着状態での保持性だけでなく、優れたアイス性能を発揮することができるスタッドピンを備えたスタッドタイヤを提供することを課題とする。
【手続補正５】
【補正対象書類名】明細書
【補正対象項目名】０００６
【補正方法】変更
【補正の内容】
【０００６】
本発明は、前記課題を解決するための手段として、
円柱状で、外周面に軸心と平行な側面を形成されることにより、一端側外縁部にエッジ部を有するボディと、前記ボディから突出するシャフトとを備えたスタッドピンと、
トレッド部に形成され、前記スタッドピンが装着されるピン穴と、
を備え、
前記スタッドピンは、前記ボディのエッジ部がタイヤ蹴出側で、タイヤ周方向に直交するように配置されていることを特徴とするスタッドタイヤを提供する。
【手続補正６】
【補正対象書類名】明細書
【補正対象項目名】０００７
【補正方法】変更
【補正の内容】
【０００７】
この構成により、スタッドピンをスタッドタイヤのピン穴に装着した状態で氷雪路面を走行すれば、第１突部と第２突部の両方のエッジを種々の方向で氷雪路面に食い込ませることができる。この結果、エッジ性能（駆動性能、制動性能、コーナリング性能）を向上させることができる。また、制動時にタイヤ蹴出側でボディのエッジ効果を最大限に発揮させることができる。
【手続補正７】
【補正対象書類名】明細書
【補正対象項目名】０００８
【補正方法】変更
【補正の内容】
【０００８】
本発明は、前記課題を解決するための手段として、
円柱状で、外周面に軸心と平行な側面を形成されることにより、一端側外縁部にエッジ部を有するボディと、前記ボディから突出するシャフトとを備えたスタッドピンと、
トレッド部に形成され、前記スタッドピンが装着されるピン穴と、
を備え、
前記スタッドピンは、前記ボディのエッジ部がタイヤ踏込側で、タイヤ周方向に直交するように配置されていることを特徴とするスタッドタイヤを提供する。
【手続補正８】
【補正対象書類名】明細書
【補正対象項目名】０００９
【補正方法】変更
【補正の内容】
【０００９】
この構成により、スタッドピンをスタッドタイヤのピン穴に装着した状態で氷雪路面を走行すれば、第１突部と第２突部の両方のエッジを種々の方向で氷雪路面に食い込ませることができる。この結果、エッジ性能（駆動性能、制動性能、コーナリング性能）を向上させることができる。また、走行開始時に、タイヤ踏込側の前記ボディのエッジ部が路面に噛み込みやすくなり、エッジ効果を発揮してトラクション性能を向上させることができる。
【手続補正９】
【補正対象書類名】明細書
【補正対象項目名】００１０
【補正方法】変更
【補正の内容】
【００１０】
前記シャフトは、前記ボディから突出する第１突部と、前記第１突部から突出する第２突部とからなり、前記第１突部と前記第２突部は、平面視での外形形状が非相似形であるのが好ましい。
【手続補正１０】
【補正対象書類名】明細書
【補正対象項目名】００１１
【補正方法】変更
【補正の内容】
【００１１】
この構成により、スタッドピンをスタッドタイヤのピン穴に装着した状態で氷雪路面を走行すれば、第１突部と第２突部の両方のエッジを種々の方向で氷雪路面に食い込ませることができる。この結果、エッジ性能（駆動性能、制動性能、コーナリング性能）を向上させることができる。また、スタッドピンをスタッドタイヤのピン穴に装着した状態で氷雪路面を走行すれば、第１突部と第２突部の両方のエッジを種々の方向で氷雪路面に食い込ませることができる。この結果、エッジ性能（駆動性能、制動性能、コーナリング性能）を向上させることができる。
【手続補正１１】
【補正対象書類名】明細書
【補正対象項目名】００１２
【補正方法】変更
【補正の内容】
【００１２】
前記第１突部と前記第２突部は、少なくとも一方は平面視多角形で構成されていればよい。
【手続補正１２】
【補正対象書類名】明細書
【補正対象項目名】００１３
【補正方法】変更
【補正の内容】
【００１３】
前記第１突部は、前記第２突部に比べてエッジの数が多いのが好ましい。
【手続補正１３】
【補正対象書類名】明細書
【補正対象項目名】００１４
【補正方法】変更
【補正の内容】
【００１４】
この構成により、第１突部を方向の異なる種々のエッジを有する構成として、多方向でのエッジ性能を高めることができる。また、第２突部では、限られた領域内でエッジ長さを確保して第１突部でのエッジ性能を補完する役割を果たすことができる。
【手続補正１４】
【補正対象書類名】明細書
【補正対象項目名】００１５
【補正方法】変更
【補正の内容】
【００１５】
前記ボディからの前記第１突部の突出寸法は、前記第１突部からの前記第２突部の突出寸法に比べて大きいのが好ましい。
【手続補正書】
【提出日】令和1年10月10日(2019.10.10)
【手続補正１】
【補正対象書類名】特許請求の範囲
【補正対象項目名】全文
【補正方法】変更
【補正の内容】
【特許請求の範囲】
【請求項１】
本体枠と、
遊技領域を設けてなる遊技盤と、
当該遊技領域における遊技球の入賞口への入賞に伴い遊技球を払い出す球払い出し装置と、
当該球払い出し装置により払い出される遊技球を貯留する皿と、
前記本体枠に設けてなる賞球タンクと、
前記球払い出し装置から払い出される遊技球を前記皿へ供給する球供給通路部材と、
上側に向け開口する１条のタンクレール部材と上下方向通路部材とを有するように、前記賞球タンクの下流側に設けられる球通路部材と、
前記賞球タンク内の遊技球を前記タンクレール部材に流下させるにあたり上下層の遊技球列に整流可能なように前記賞球タンクの底側後部に形成される整流可能部とを具備してなり、
前記タンクレール部材は、その中間部位にて、前記整流可能部からの上下層の遊技球列を単層の遊技球列に整流可能に下流側へ流動させる屈曲レール部を形成するとともに、当該屈曲レール部をその開口側から塞ぐように設けられる蓋部を有して、当該蓋部により、前記屈曲レール部の整流機能にあわせて、前記球払い出し装置に達する前に前記上下層の遊技球列の上層側の遊技球を下層側の遊技球の間に割り込ませて単層の遊技球列に均す均し手段を設けてなり、
前記上下方向通路部材は、前記タンクレール部材からの各遊技球を順次流下させるようになっており、
前記球払い出し装置は、前記上下方向通路部材から順次流下する遊技球を前記球供給通路部材へ払い出すようになっている遊技機。
【手続補正２】
【補正対象書類名】明細書
【補正対象項目名】０００９
【補正方法】変更
【補正の内容】
【０００９】
上記課題の解決にあたり、本発明に係る遊技機は、請求項１の記載によれば、
本体枠（Ｂａ）と、
遊技領域（１２）を設けてなる遊技盤（Ｂｂ）と、
当該遊技領域における遊技球の入賞口への入賞に伴い遊技球を払い出す球払い出し装置（１３０）と、
当該球払い出し装置により払い出される遊技球を貯留する皿（３１０）と、
上記本体枠に設けてなる賞球タンク（１００）と、
球払い出し装置から払い出される遊技球を皿へ供給する球供給通路部材（１４０）と、
上側に向け開口する１条のタンクレール部材（１１０）と上下方向通路部材（１２０）とを有するように、賞球タンクの下流側に設けられる球通路部材（１１０、１２０）と、
賞球タンク内の遊技球をタンクレール部材に流下させるにあたり、上下層の遊技球列に整流可能なように賞球タンクの底側後部に形成される整流可能部（１０１ｃ、Ｄ、１０７）とを具備してなり、
タンクレール部材は、その中間部位にて、整流可能部からの上下層の遊技球列を単層の遊技球列に整流可能に下流側へ流動させるように屈曲レール部（１１０ｂ）を形成するとともに、当該屈曲レール部をその開口側から塞ぐように設けられる蓋部を有して、当該蓋部により、屈曲レール部の整流機能にあわせて、球払い出し装置に達する前に上記上下層の遊技球列の上層側の遊技球を下層側の遊技球の間に割り込ませて単層の遊技球列に均すようにしてなる均し手段（１１０ｄ）を設けてなり、
上下方向通路部材は、タンクレール部材からの各遊技球を順次流下させるようになっており、
球払い出し装置は、上下方向通路部材から順次流下する遊技球を球供給通路部材へ払い出すようになっている。
【手続補正３】
【補正対象書類名】明細書
【補正対象項目名】００１０
【補正方法】変更
【補正の内容】
【００１０】
これによれば、整流可能部が、賞球タンク内の遊技球をタンクレール部材に流下させるにあたり、上下層の遊技球列に整流可能なように賞球タンクの底側後部に形成されている。
【手続補正４】
【補正対象書類名】明細書
【補正対象項目名】００１１
【補正方法】変更
【補正の内容】
【００１１】
このような構成を前提として、整流可能部が、賞球タンクの底側後部にて、賞球タンク内の遊技球を、タンクレール部材に流下させるにあたり、賞球タンク内の複数の遊技球のうち、当該賞球タンクの後側壁側にて流動する各遊技球が、上下層の遊技球列の上層側の遊技球を下層側の遊技球の間に割り込ませるように、整流可能に整流される。
また、球通路部材においては、上側に向け開口する１条のタンクレール部材が、屈曲レール部により、整流可能部からの上下層の遊技球列を単層の遊技球列に整流可能に下流側へ流動する。これに伴い、均し手段が、屈曲レール部をその開口側から塞ぐように設けてなる蓋部でもって、屈曲レール部の整流機能にあわせて、上下層の遊技球列を球払い出し装置に達する前に単層の遊技球列に均す。すると、上下方向通路部材が、タンクレール部材からの各遊技球を順次流下させ、球払い出し装置が、遊技領域における遊技球の入賞口への入賞に伴い、上下方向通路部材から順次流下する遊技球を球供給通路部材へ払い出す。これに伴い、球供給通路部材が球払い出し装置により払い出される遊技球を皿へ供給する。
【手続補正５】
【補正対象書類名】明細書
【補正対象項目名】００１２
【補正方法】変更
【補正の内容】
【００１２】
要するに、タンクレール部材が、上述のように構成してなる屈曲レール部及び均し手段を備えて、上述のように構成してなる整流可能部からの上下層の遊技球列を、屈曲レール部でもって、単層の遊技球列に整流可能に下流側へ流動させるとともに、均し手段でもって、その蓋部にて、上下層の遊技球列を球払い出し装置に達する前に単層の遊技球列に均す。
【手続補正６】
【補正対象書類名】明細書
【補正対象項目名】０１３７
【補正方法】変更
【補正の内容】
【０１３７】
このため、賞球タンク１００内の多くの遊技球が、上記整流可能部により、上述のごとく、上下層の遊技球列に整流されてタンクレール部材１１０の上流レール部１１０ａを通り屈曲レール部１１０ｂへ流動すると、当該上下層の遊技球列の各遊技球の流動速度が、屈曲レール部１１０ｂにより、その上流レール部１１０ａ側の開口端部にて良好に緩和される。これにあわせて、上下層の遊技球列が、均し壁部材１１０ｄによりその上下方向への均し機能のもとに、単層の遊技球列に近づくように整流され得る。ここで、屈曲レール部１１０ｂの上流レール部１１０ａに対する下方への屈曲角度及び後方への屈曲角度は、それぞれ、約４０度及び３５度となっているから、上下層の遊技球列を、単層の遊技球列に、より一層良好に近づけ得る。
【手続補正書】
【提出日】令和1年9月25日(2019.9.25)
【手続補正１】
【補正対象書類名】特許請求の範囲
【補正対象項目名】全文
【補正方法】変更
【補正の内容】
【特許請求の範囲】
【請求項１】
対象演出および複数の特殊演出を実行することが可能な遊技機であって、
前記複数の特殊演出のうちの一つである特定特殊演出は、当否判定結果を報知する識別図柄が変動を開始してから当否判定結果を示す組み合わせで停止するまでの報知演出における所定時点よりも以降の期間に発生しうるものであり、
前記報知演出にて前記対象演出が発生した後、前記所定時点に至るよりも前に前記特定特殊演出以外の特殊演出が発生しなかった場合には、前記所定時点が経過した後に前記特定特殊演出が発生することが確定する
ことを特徴とする遊技機。
【手続補正書】
【提出日】令和1年10月10日(2019.10.10)
【手続補正１】
【補正対象書類名】特許請求の範囲
【補正対象項目名】全文
【補正方法】変更
【補正の内容】
【特許請求の範囲】
【請求項１】
１又は複数のコンピュータプロセッサを備え、プレイヤキャラクタによるアクションの実行に応じて進行するゲームを提供するためのシステムであって、
前記１又は複数のコンピュータプロセッサは、読取可能な命令の実行に応じて、
プレイヤが保有するアイテムの中から前記プレイヤによって選択されたアイテムを前記プレイヤキャラクタに設定する処理と、
前記プレイヤキャラクタに対する複数のコマンドの中から前記プレイヤによって選択されたコマンドに従って、前記プレイヤキャラクタによるアクションを実行する処理と、
前記複数のコマンドに含まれる所定のコマンドの前記プレイヤによる選択に応じて所定のモードを開始する処理と、を実行し、
前記複数のコマンドの少なくとも一部は、前記プレイヤキャラクタに設定されているアイテムの所定のパラメータの値を有しており、
前記アクションを実行する処理は、前記所定のモードの期間中において、前記複数のコマンドに含まれる１又は複数の対象のコマンドであって前記所定のコマンドに基づいて特定される前記所定のパラメータの値を有する前記対象のコマンドに従って実行される前記プレイヤキャラクタによるアクションの、前記所定のモードの期間中における累積実行回数を記録し、前記累積実行回数が多いほど、少なくとも前記対象のコマンドに従って実行される前記プレイヤキャラクタによるアクションの効果を大きくすることを含む、
システム。
【請求項２】
前記所定のコマンドは、前記所定のパラメータが関連付けられており、
前記対象のコマンドは、前記所定のパラメータの値が前記所定のコマンドと同一のコマンドである、
請求項１のシステム。
【請求項３】
前記アクションを実行する処理は、前記複数のコマンドの中からのプレイヤによるコマンドの選択を所定の画面を介して受け付けることを含み、
前記所定の画面は、前記複数のコマンドにそれぞれ対応する複数のコマンドオブジェクトが配置されていると共に、前記所定のモードの期間中において、前記対象のコマンドに対応するコマンドオブジェクトに対して所定の画像が付加されるように構成されている、
請求項１又は２のシステム。
【請求項４】
前記アクションを実行する処理は、前記複数のコマンドの中からのプレイヤによるコマンドの選択を所定の画面を介して受け付けることを含み、
前記所定の画面は、前記所定のモードの期間中において、前記所定のコマンドに基づいて特定される前記所定のパラメータの値に対応する画像が配置されるように構成されている、
請求項１ないし３何れかのシステム。
【請求項５】
前記アクションを実行する処理は、前記累積実行回数が所定数に到達した場合に、前記プレイヤキャラクタによるアクションの効果を大きくすることに加えて、他の効果を発動することを含む、
請求項１ないし４何れかのシステム。
【請求項６】
前記ゲームは、前記プレイヤキャラクタが敵キャラクタと戦うゲームであり、
前記アクションを実行する処理は、前記所定のモードの期間中において、前記累積実行回数が多いほど、少なくとも前記対象のコマンドに従って実行される前記プレイヤキャラクタによる前記敵キャラクタに対する攻撃の効果を大きくすることを含む、
請求項１ないし５何れかのシステム。
【請求項７】
前記アクションを実行する処理は、複数の敵キャラクタの中から前記プレイヤによって選択された敵キャラクタに対して前記プレイヤキャラクタによる攻撃を実行し、前記所定のモードの期間中において、前記累積実行回数を、敵キャラクタ毎に記録し、特定の敵キャラクタに対する前記累積実行回数が多いほど、前記特定の敵キャラクタに対する攻撃の効果を大きくすることを含む、
請求項６のシステム。
【請求項８】
前記所定のモードを開始する処理は、第１の所定のコマンドの選択に応じて開始された第１の所定のモードの期間中における第２の所定のコマンドの選択に応じて、前記第１の所定のモードを終了して第２の所定のモードを開始することを含む、
請求項１ないし７何れかのシステム。
【請求項９】
前記複数のコマンドの少なくとも一部は、１回の選択に応じて複数回のアクションが実行されるように構成されている、
請求項１ないし８何れかのシステム。
【請求項１０】
前記ゲームは、複数のプレイヤキャラクタの各々によるアクションの実行に応じて進行するように構成されており、
前記複数のプレイヤキャラクタは、複数のプレイヤによって操作されるように構成されている、
請求項１ないし９何れかのシステム。
【請求項１１】
１又は複数のコンピュータによって実行され、プレイヤキャラクタによるアクションの実行に応じて進行するゲームを提供するための方法であって、
プレイヤが保有するアイテムの中から前記プレイヤによって選択されたアイテムを前記プレイヤキャラクタに設定するステップと、
前記プレイヤキャラクタに対する複数のコマンドの中からプレイヤによって選択されたコマンドに従って、前記プレイヤキャラクタによるアクションを実行するステップと、
前記複数のコマンドに含まれる所定のコマンドの前記プレイヤによる選択に応じて所定のモードを開始するステップと、を備え、
前記複数のコマンドの少なくとも一部は、前記プレイヤキャラクタに設定されているアイテムの所定のパラメータの値を有しており、
前記アクションを実行するステップは、前記所定のモードの期間中において、前記複数のコマンドに含まれる１又は複数の対象のコマンドであって前記所定のコマンドに基づいて特定される前記所定のパラメータの値を有する前記対象のコマンドに従って実行される前記プレイヤキャラクタによるアクションの、前記所定のモードの期間中における累積実行回数を記録し、前記累積実行回数が多いほど、少なくとも前記対象のコマンドに従って実行される前記プレイヤキャラクタによるアクションの効果を大きくすることを含む、
方法。
【請求項１２】
プレイヤキャラクタによるアクションの実行に応じて進行するゲームを提供するためのプログラムであって、
１又は複数のコンピュータ上で実行されることに応じて、前記１又は複数のコンピュータに、
プレイヤが保有するアイテムの中から前記プレイヤによって選択されたアイテムを前記プレイヤキャラクタに設定する処理と、
前記プレイヤキャラクタに対する複数のコマンドの中からプレイヤによって選択されたコマンドに従って、前記プレイヤキャラクタによるアクションを実行する処理と、
前記複数のコマンドに含まれる所定のコマンドの前記プレイヤによる選択に応じて所定のモードを開始する処理と、を実行させ、
前記複数のコマンドの少なくとも一部は、前記プレイヤキャラクタに設定されているアイテムの所定のパラメータの値を有しており、
前記アクションを実行する処理は、前記所定のモードの期間中において、前記複数のコマンドに含まれる１又は複数の対象のコマンドであって前記所定のコマンドに基づいて特定される前記所定のパラメータの値を有する前記対象のコマンドに従って実行される前記プレイヤキャラクタによるアクションの、前記所定のモードの期間中における累積実行回数を記録し、前記累積実行回数が多いほど、少なくとも前記対象のコマンドに従って実行される前記プレイヤキャラクタによるアクションの効果を大きくすることを含む、
プログラム。
【手続補正書】
【提出日】令和1年6月14日(2019.6.14)
【手続補正１】
【補正対象書類名】明細書
【補正対象項目名】０００９
【補正方法】変更
【補正の内容】
【０００９】
そこで、本発明は、ユーザの印刷権限に応じた適切な設定を用いることができる仕組みを提供することを目的とする。
【手続補正２】
【補正対象書類名】明細書
【補正対象項目名】００１０
【補正方法】変更
【補正の内容】
【００１０】
上記課題を解決するための本発明は、印刷権限に対応する印刷設定を含む画像形成装置の登録情報を管理するシステムと通信可能な画像形成装置であって、ユーザに関するユーザ情報を受け付ける受付手段と、前記登録情報にかかる情報を記憶する記憶手段と、前記記憶手段により記憶する登録情報にかかる情報に基づいて、前記受付手段によりユーザ情報を受付けたユーザの印刷権限に対応する前記システムにより管理された前記登録情報に関する通知を行う通知手段と、を備えたことを特徴とする。
【手続補正３】
【補正対象書類名】明細書
【補正対象項目名】００１１
【補正方法】変更
【補正の内容】
【００１１】
本発明によれば、ユーザの印刷権限に応じた適切な設定を用いることができる、という効果を奏する。
【手続補正４】
【補正対象書類名】特許請求の範囲
【補正対象項目名】全文
【補正方法】変更
【補正の内容】
【特許請求の範囲】
【請求項１】
印刷権限に対応する印刷設定を含む画像形成装置の登録情報を管理するシステムと通信可能な画像形成装置であって、
ユーザに関するユーザ情報を受け付ける受付手段と、
前記登録情報にかかる情報を記憶する記憶手段と、
前記記憶手段により記憶する登録情報にかかる情報に基づいて、前記受付手段によりユーザ情報を受付けたユーザの印刷権限に対応する前記システムにより管理された前記登録情報に関する通知を行う通知手段と、
を備えたことを特徴とする画像形成装置。
【請求項２】
前記通知手段は、前記登録情報を選択するためのアクセス情報を通知することを特徴とする請求項１に記載の画像形成装置。
【請求項３】
前記システムのアカウント情報を受付けるアカウント情報受付手段と、
前記アカウント情報受付手段により受付けたアカウント情報に対して前記システムにより管理された前記登録情報を利用可能なように指示する利用指示手段と、
を備えたことを特徴とする請求項１または２に記載の画像形成装置。
【請求項４】
前記利用指示手段は、前記アカウント情報に対して前記受付手段によりユーザ情報を受付けたユーザの印刷権限に応じた前記登録情報の印刷設定を利用可能なように指示することを特徴とする請求項３に記載の画像形成装置。
【請求項５】
前記受付手段によりユーザ情報を受付けたユーザの印刷権限に応じた前記登録情報を指定して投入されたジョブを前記システムへ要求する要求手段を備えたことを特徴とする請求項１乃至４の何れか１項に記載の画像形成装置。
【請求項６】
印刷権限に対応する印刷設定を含む画像形成装置の登録情報を管理するシステムと通信可能な画像形成装置であって、
画像形成装置における印刷権限に関する情報を記憶する記憶手段と、
前記記憶手段に記憶する印刷権限に対応する印刷設定に関する前記登録情報の作成を前記システムに対して指示する作成指示手段と、
を備えたことを特徴とする画像形成装置。
【請求項７】
クライアント端末とシステムと画像形成装置とが通信可能な画像形成システムであって、
前記システムは、
印刷権限に対応する印刷設定を含む画像形成装置の登録情報を管理する管理手段、
を備え、
前記画像形成装置は、
ユーザに関するユーザ情報を受け付ける受付手段と、
前記登録情報にかかる情報を記憶する記憶手段と、
前記記憶手段により記憶する登録情報にかかる情報に基づいて、前記クライアント端末に対して前記受付手段によりユーザ情報を受付けたユーザの印刷権限に対応する前記システムにより管理された前記登録情報に関する通知を行う通知手段と、
を備えたことを特徴する画像形成システム。
【請求項８】
印刷権限に対応する印刷設定を含む画像形成装置の登録情報を管理するシステムと通信可能な画像形成装置の制御方法であって、
前記画像形成装置は、
ユーザに関するユーザ情報を受け付ける受付ステップと、
前記登録情報にかかる情報を記憶する記憶手段により記憶する登録情報にかかる情報に基づいて、前記受付ステップによりユーザ情報を受付けたユーザの印刷権限に対応する前記システムにより管理された前記登録情報に関する通知を行う通知ステップと、
を実行することを特徴とする画像形成装置の制御方法。
【請求項９】
クライアント端末とシステムと画像形成装置とが通信可能な画像形成システムの制御方法であって、
前記システムは、
印刷権限に対応する印刷設定を含む画像形成装置の登録情報を管理する管理ステップ、
を実行し、
前記画像形成装置は、
ユーザに関するユーザ情報を受け付ける受付ステップと、
前記登録情報にかかる情報を記憶する記憶手段により記憶する登録情報にかかる情報に基づいて、前記クライアント端末に対して前記受付ステップによりユーザ情報を受付けたユーザの印刷権限に対応する前記システムにより管理された前記登録情報に関する通知を行う通知ステップと、
を実行することを特徴する画像形成システムの制御方法。
【請求項１０】
印刷権限に対応する印刷設定を含む画像形成装置の登録情報を管理するシステムと通信可能な画像形成装置のコンピュータを、
ユーザに関するユーザ情報を受け付ける受付手段と、
前記登録情報にかかる情報を記憶する記憶手段により記憶する登録情報にかかる情報に基づいて、前記受付手段によりユーザ情報を受付けたユーザの印刷権限に対応する前記システムにより管理された前記登録情報に関する通知を行う通知手段と、
して機能させるためのプログラム。
【手続補正書】
【提出日】令和1年8月19日(2019.8.19)
【手続補正１】
【補正対象書類名】特許請求の範囲
【補正対象項目名】全文
【補正方法】変更
【補正の内容】
【特許請求の範囲】
【請求項１】
文字列を分割した複数の分割文字列を含む文字列情報を受信する受信バッファーと、
所定のルールにより構成されたスタイルを示す情報を記憶する記憶部と、
前記受信バッファーにより受信した前記文字列情報について、前記分割文字列ごとに、前記記憶部が記憶する前記スタイルを示す情報に基づいて、コマンドと前記分割文字列とを含むコマンド列を生成し、生成した前記コマンド列が含む前記コマンドを実行し、画像データを生成する制御部と、
前記画像データに基づいて印刷をする印刷部と、を備える
印刷装置。
【請求項２】
前記文字列は、区切り文字により前記分割文字列として分割されており、
前記スタイルを示す情報は前記分割文字列の個数に応じたものであり、
前記制御部は、前記区切り文字に基づいて前記分割文字列を判別し、前記スタイルを示す情報により前記区切り文字により分割された前記分割文字列の個数に基づいて、前記コマンド列を生成する
請求項１に記載の印刷装置。
【請求項３】
前記記憶部は、少なくとも、印刷媒体における１行あたりの印刷可能桁数を示す情報を含む前記印刷装置に関する印刷装置情報を記憶し、
前記制御部は、前記記憶部を参照し、前記印刷装置情報に関連する前記スタイルを示す情報に基づいて前記コマンド列を生成する
請求項１又は２に記載の印刷装置。
【請求項４】
前記記憶部は、第１の文字コードに対応するフォント情報と、第２の文字コードを前記第１の文字コードに変換するための変換情報と、を記憶し、
前記制御部は、前記受信バッファーが受信した前記文字列情報が示す前記文字列の文字コードが前記第２の文字コードである場合、前記変換情報に基づいて前記第２の文字コードを前記第１の文字コードに変換して、前記コマンド列を生成し、前記第１の文字コードに対応する前記フォント情報に基づいて前記画像データを生成する
請求項１から３のいずれか一項に記載の印刷装置。
【請求項５】
前記スタイルを示す情報は、前記分割文字列に基づいて、少なくとも、印刷位置、文字装飾、文字サイズ、数値フォーマット、イメージ印刷、及び、シンボル画像のいずれかを指定する情報である
請求項１から４のいずれか一項に記載の印刷装置。
【請求項６】
印刷媒体を切断するカッター、情報を報知する報知部、及び、外部機器を駆動する外部機器駆動部の少なくともいずれかを備え、
前記スタイルを示す情報は、前記カッターの動作、前記報知部による報知、及び、前記外部機器駆動部による前記外部機器の駆動の少なくともいずれかを指定する情報であり、
前記制御部は、前記コマンド列に従って、前記カッターの動作、前記報知部による報知、及び、前記外部機器駆動部による前記外部機器の駆動の少なくともいずれかを実行する
請求項１から５のいずれか一項に記載の印刷装置
【請求項７】
前記文字列は、前記スタイルを示す情報を識別するための識別文字を含み、
前記記憶部は、前記スタイルを示す情報に対応する前記識別情報を記憶し、
前記制御部は、前記文字列が含む前記識別文字に対応する前記スタイルを示す情報に基づいて、前記コマンド列を生成する
請求項１から６のいずれか一項に記載の印刷装置。
【請求項８】
文字列を分割した複数の分割文字列を含む文字列情報を受信する受信バッファーと、所定のルールにより構成されたスタイルを示す情報を記憶する記憶部と、を備える印刷装置の制御方法であって、
前記受信バッファーにより受信した前記文字列情報について、前記分割文字列ごとに、前記記憶部が記憶する前記スタイルを示す情報に基づいて、コマンドと前記分割文字列とを含むコマンド列を生成するステップと、
生成した前記コマンド列が含む前記コマンドを実行し、画像データを生成するステップと、
前記画像データに基づいて印刷をするステップと、を含む
印刷装置の制御方法。
【手続補正書】
【提出日】令和1年10月17日(2019.10.17)
【手続補正１】
【補正対象書類名】特許請求の範囲
【補正対象項目名】全文
【補正方法】変更
【補正の内容】
【特許請求の範囲】
【請求項１】
基材と、前記基材の表面を被覆する被膜とを備える表面被覆切削工具であって、
前記被膜は、ＴｉｘＭ１−ｘＣｙＮ１−ｙ（Ｍは、周期表の４族元素、５族元素、６族元素、Ａｌ、ＳｉおよびＢからなる群より選ばれる１種以上の元素（ただしＴｉは除く）であり、０．２≦ｘ≦１、および０≦ｙ≦１を満たす）の組成からなる化合物層を含み、
前記化合物層は５２％以上の弾性回復率を有する、表面被覆切削工具。
【請求項２】
前記Ｍは、ＳｉまたはＢの少なくとも一方を含む、請求項１に記載の表面被覆切削工具。
【請求項３】
前記化合物層は六方晶型結晶構造を含まない、請求項１または請求項２に記載の表面被覆切削工具。
【請求項４】
前記化合物層は１μｍ以上１５μｍ以下の厚さを有する、請求項１から請求項３のいずれか１項に記載の表面被覆切削工具。
【請求項５】
前記被膜は、前記基材と前記化合物層との間に中間層を含み、
前記中間層は４μｍ以下の厚さを有する、請求項１から請求項４のいずれか１項に記載の表面被覆切削工具。
【請求項６】
前記基材は、超硬合金、サーメット、高速度鋼、工具鋼、セラミックス、立方晶型窒化硼素焼結体、ダイヤモンド焼結体、または立方晶型窒化硼素粒子が分散した硬質材料である、請求項１から請求項５のいずれか１項に記載の表面被覆切削工具。
【手続補正書】
【提出日】平成30年12月10日(2018.12.10)
【手続補正１】
【補正対象書類名】特許請求の範囲
【補正対象項目名】全文
【補正方法】変更
【補正の内容】
【特許請求の範囲】
【請求項１】
冷媒が循環する循環流路（２０）と、
前記循環流路の途中に設けられており、前記循環流路を通る冷媒との熱交換により空気を冷却する蒸発器（１００）と、
前記蒸発器のうち冷媒が通るチューブ（１３０）に隣接する位置に設けられており、前記チューブを通る冷媒との熱交換によって相変化する第１蓄冷材（ＰＦ１）、を内部に貯えている第１蓄冷部（１５０）と、
前記循環流路のうち前記蒸発器とは異なる位置に設けられており、前記循環流路を通る冷媒との熱交換によって相変化する第２蓄冷材（ＰＦ２）、を内部に貯えている第２蓄冷部（２５０）と、を備え、
前記第２蓄冷部は、前記循環流路において前記蒸発器よりも下流側となる位置に設けられており、
前記循環流路において前記蒸発器よりも上流側となる位置には、冷媒の圧力を低下させる膨張弁（５０）が設けられており、
前記循環流路のうち前記第２蓄冷部よりも下流側となる位置の冷媒の温度に応じて、前記膨張弁の開度が変化するように構成されている空調装置。
【請求項２】
冷媒が循環する循環流路（２０）と、
前記循環流路の途中に設けられており、前記循環流路を通る冷媒との熱交換により空気を冷却する蒸発器（１００）と、
前記蒸発器のうち冷媒が通るチューブ（１３０）に隣接する位置に設けられており、前記チューブを通る冷媒との熱交換によって相変化する第１蓄冷材（ＰＦ１）、を内部に貯えている第１蓄冷部（１５０）と、
前記循環流路のうち前記蒸発器とは異なる位置に設けられており、前記循環流路を通る冷媒との熱交換によって相変化する第２蓄冷材（ＰＦ２）、を内部に貯えている第２蓄冷部（２５０）と、を備え、
前記第２蓄冷部に貯えられている前記第２蓄冷材の量が、前記第１蓄冷部に貯えられている前記第１蓄冷材の量よりも多い空調装置。
【請求項３】
冷媒が循環する循環流路（２０）と、
前記循環流路の途中に設けられており、前記循環流路を通る冷媒との熱交換により空気を冷却する蒸発器（１００）と、
前記蒸発器のうち冷媒が通るチューブ（１３０）に隣接する位置に設けられており、前記チューブを通る冷媒との熱交換によって相変化する第１蓄冷材（ＰＦ１）、を内部に貯えている第１蓄冷部（１５０）と、
前記循環流路のうち前記蒸発器とは異なる位置に設けられており、前記循環流路を通る冷媒との熱交換によって相変化する第２蓄冷材（ＰＦ２）、を内部に貯えている第２蓄冷部（２５０）と、を備え、
前記第２蓄冷材の融点が前記第１蓄冷材の融点よりも低い空調装置。
【請求項４】
冷媒が循環する循環流路（２０）と、
前記循環流路の途中に設けられており、前記循環流路を通る冷媒との熱交換により空気を冷却する蒸発器（１００）と、
前記蒸発器のうち冷媒が通るチューブ（１３０）に隣接する位置に設けられており、前記チューブを通る冷媒との熱交換によって相変化する第１蓄冷材（ＰＦ１）、を内部に貯えている第１蓄冷部（１５０）と、
前記循環流路のうち前記蒸発器とは異なる位置に設けられており、前記循環流路を通る冷媒との熱交換によって相変化する第２蓄冷材（ＰＦ２）、を内部に貯えている第２蓄冷部（２５０）と、を備え、
前記第２蓄冷部が、前記第１蓄冷部よりも上方側となる位置に配置されている空調装置。
【請求項５】
前記第２蓄冷部の周囲が、防湿材、断熱材、及び防振材のうちの少なくとも１つによって覆われている、請求項１乃至４のいずれか１項に記載の空調装置。
【請求項６】
冷媒が循環する循環流路（２０）と、
前記循環流路の途中に設けられており、前記循環流路を通る冷媒との熱交換により空気を冷却する蒸発器（１００）と、
前記蒸発器のうち冷媒が通る第１チューブ（１３０）に隣接する位置に設けられており、前記第１チューブを通る冷媒との熱交換によって相変化する第１蓄冷材（ＰＦ１）、を内部に貯えている第１蓄冷部（１５０）と、
前記循環流路のうち前記蒸発器とは異なる位置に設けられており、前記循環流路を通る冷媒との熱交換によって相変化する第２蓄冷材（ＰＦ２）、を内部に貯えている第２蓄冷部（２５０）と、を備え、
冷媒が通る複数の第２チューブ（２３０）を有する蓄冷ユニット（２００）を更に備え、
前記第２蓄冷部は、前記蓄冷ユニットのうち、互いに隣り合う前記第２チューブの間に配置されており、
複数の前記第２チューブが並んでいる方向、及び、前記第２チューブの長手方向、のいずれに対しても垂直な方向に沿って前記蓄冷ユニットを見た場合において、
互いに隣り合う前記第２チューブの間に形成された複数の空間の断面積に対する、前記第２蓄冷部の断面積が占める割合のことを蓄冷材占拠率としたときに、
前記蓄冷材占拠率が５０％以上である空調装置。
【手続補正２】
【補正対象書類名】明細書
【補正対象項目名】００１０
【補正方法】変更
【補正の内容】
【００１０】
本開示に係る空調装置（１０）は、冷媒が循環する循環流路（２０）と、循環流路の途中に設けられており、循環流路を通る冷媒との熱交換により空気を冷却する蒸発器（１００）と、蒸発器のうち冷媒が通るチューブ（１３０）に隣接する位置に設けられており、チューブを通る冷媒との熱交換によって相変化する第１蓄冷材（ＰＦ１）、を内部に貯えている第１蓄冷部と、循環流路のうち蒸発器とは異なる位置に設けられており、循環流路を通る冷媒との熱交換によって相変化する第２蓄冷材（ＰＦ２）、を内部に貯えている第２蓄冷部（２５０）と、を備えている。第２蓄冷部は、循環流路において蒸発器よりも下流側となる位置に設けられている。循環流路において蒸発器よりも上流側となる位置には、冷媒の圧力を低下させる膨張弁（５０）が設けられている。循環流路のうち第２蓄冷部よりも下流側となる位置の冷媒の温度に応じて、膨張弁の開度が変化するように構成されている。
【手続補正書】
【提出日】令和1年8月14日(2019.8.14)
【手続補正１】
【補正対象書類名】特許請求の範囲
【補正対象項目名】全文
【補正方法】変更
【補正の内容】
【特許請求の範囲】
【請求項１】
アクセルペダルと、
前記アクセルペダルを所望の操作位置に移動させるためのアクセルペダルアクチュエータと、
前記アクセルペダルアクチュエータを駆動制御するアクセルペダル制御部と、を備え、
前記アクセルペダル制御部は、自動運転から手動運転への切替時に、前記アクセルペダルを、手動運転への切替直前におけるスロットル開度に対応する操作位置に移動させるように、前記アクセルペダルアクチュエータを駆動制御し、
自動運転時に、前記アクセルペダルを所定の位置に維持するように、前記アクセルペダルに踏込方向とは逆向きの反力を付加する反力付与手段を更に備える、ことを特徴とする車輌用アクセルペダル装置。
【請求項２】
自動運転時に、前記アクセルペダルの前記所定の位置が、手動運転時に踏み込まれていない状態の基準位置を越えて踏込方向とは逆向きに設定される、ことを特徴とする請求項１に記載の車輌用アクセルペダル装置。
【請求項３】
前記アクセルペダルは、前記付加された反力に抗して前記所定の位置から踏み込まれることによって、自動運転を解除可能である、ことを特徴とする請求項１又は２に記載の車輌用アクセルペダル装置。
【手続補正２】
【補正対象書類名】明細書
【補正対象項目名】０００９
【補正方法】変更
【補正の内容】
【０００９】
本発明に係る車両用アクセルペダルは、アクセルペダルと、前記アクセルペダルを所望の操作位置に移動させるためのアクセルペダルアクチュエータと、前記アクセルペダルアクチュエータを駆動制御するアクセルペダル制御部と、を備え、前記アクセルペダル制御部は、自動運転から手動運転への切替時に、前記アクセルペダルを、手動運転への切替直前におけるスロットル開度に対応する操作位置に移動させるように、前記アクセルペダルアクチュエータを駆動制御し、自動運転時に、前記アクセルペダルを所定の位置に維持するように、前記アクセルペダルに踏込方向とは逆向きの反力を付加する反力付与手段を更に備える、ことを特徴とする特徴とする。
【手続補正３】
【補正対象書類名】明細書
【補正対象項目名】００１０
【補正方法】変更
【補正の内容】
【００１０】
このように、自動運転から手動運転への切替時にアクセルペダルを、手動運転への切替直前におけるスロットル開度に対応する操作位置に移動させることによって、運転者に違和感を与えることなく、自動運転モードから手動運転モードに切り替えることができる。そして、自動運転時に、アクセルペダルを所定の位置に維持するように、アクセルペダルに踏込方向とは逆向きの反力を付加する反力付与手段を備えことにより、自動運転時のアクセルペダルをフットレスト化することができる。
【手続補正４】
【補正対象書類名】明細書
【補正対象項目名】００１２
【補正方法】削除
【補正の内容】
【手続補正書】
【提出日】令和1年10月23日(2019.10.23)
【手続補正１】
【補正対象書類名】特許請求の範囲
【補正対象項目名】全文
【補正方法】変更
【補正の内容】
【特許請求の範囲】
【請求項１】
車両のフロントウィンドウに固定され、該フロントウィンドウの下方の位置から後方のダッシュパネルまで下降しながら延びているカウルフロントパネルにも固定される車幅方向に長手のカウルトップガーニッシュを含む車体前部構造において、
当該車体前部構造はさらに、
前記カウルトップガーニッシュに形成されている開口と、
前記カウルトップガーニッシュの後方側から前記開口を塞ぐ遮蔽板とを含み、
前記カウルトップガーニッシュは、
前記開口の上側の部分であって、前記フロントウィンドウの下縁から前記遮蔽板まで延びて該遮蔽板に固定され該遮蔽板からさらに前方に延びる上壁部と、
前記開口の下側の部分であって、前記カウルフロントパネルの先端から前後方向に延び後端において前記遮蔽板に係止される下壁部と、
前記下壁部を前記カウルフロントパネルの先端に取り付ける取付部であって、脆弱な第１脆弱部が設けられた取付部とを有することを特徴とする車体前部構造。
【請求項２】
前記遮蔽板は、
前記カウルトップガーニッシュの下壁部の上面に沿って該下壁部の後端よりも後方まで延びる並行部と、
前記並行部から屈曲して前記カウルトップガーニッシュの下壁部の後端に対面し該後端を係止する係止部とを有することを特徴とする請求項１に記載の車体前部構造。
【請求項３】
前記遮蔽板はさらに、前記係止部から屈曲して前記カウルトップガーニッシュの下壁部の下面に沿って前方に延びる延長部を有することを特徴とする請求項２に記載の車体前部構造。
【請求項４】
前記遮蔽板はさらに、前記開口に向かって前方に突出する突出部を有することを特徴とする請求項１から３のいずれか１項に記載の車体前部構造。
【請求項５】
前記カウルトップガーニッシュはさらに、前記第１脆弱部よりも前方で前記下壁部に形成される脆弱な段差状の第２脆弱部を有し、
前記遮蔽板はさらに、前記並行部と前記突出部との間に形成され第２脆弱部の後方に位置する段差状の肩部を有することを特徴とする請求項４に記載の車体前部構造。
【手続補正２】
【補正対象書類名】明細書
【補正対象項目名】０００７
【補正方法】変更
【補正の内容】
【０００７】
上記課題を解決するために、本発明にかかる車体前部構造の代表的な構成は、車両のフロントウィンドウに固定され、フロントウィンドウの下方の位置から後方のダッシュパネルまで下降しながら延びているカウルフロントパネルにも固定される車幅方向に長手のカウルトップガーニッシュを含む車体前部構造において、当該車体前部構造はさらに、カウルトップガーニッシュに形成されている開口と、カウルトップガーニッシュの後方側から開口を塞ぐ遮蔽板とを含み、カウルトップガーニッシュは、開口の上側の部分であって、フロントウィンドウの下縁から遮蔽板まで延びて遮蔽板に固定され遮蔽板からさらに前方に延びる上壁部と、開口の下側の部分であって、カウルフロントパネルの先端から前後方向に延び後端において遮蔽板に係止される下壁部と、下壁部をカウルフロントパネルの先端に取り付ける取付部であって、脆弱な第１脆弱部が設けられた取付部とを有することを特徴とする。
【手続補正３】
【補正対象書類名】明細書
【補正対象項目名】００１０
【補正方法】変更
【補正の内容】
【００１０】
本発明の一実施の形態に係る車体前部構造は、車両のフロントウィンドウに固定され、フロントウィンドウの下方の位置から後方のダッシュパネルまで下降しながら延びているカウルフロントパネルにも固定される車幅方向に長手のカウルトップガーニッシュを含む車体前部構造において、当該車体前部構造はさらに、カウルトップガーニッシュに形成されている開口と、カウルトップガーニッシュの後方側から開口を塞ぐ遮蔽板とを含み、カウルトップガーニッシュは、開口の上側の部分であって、フロントウィンドウの下縁から遮蔽板まで延びて遮蔽板に固定され遮蔽板からさらに前方に延びる上壁部と、開口の下側の部分であって、カウルフロントパネルの先端から前後方向に延び後端において遮蔽板に係止される下壁部と、下壁部をカウルフロントパネルの先端に取り付ける取付部であって、脆弱な第１脆弱部が設けられた取付部とを有することを特徴とする。
【手続補正４】
【補正対象書類名】明細書
【補正対象項目名】００１２
【補正方法】変更
【補正の内容】
【００１２】
一方、カウルトップガーニッシュの下壁部をカウルフロントパネルに取り付ける取付部に脆弱な第１脆弱部が設けられていることにより、衝突荷重を受けた際に第１脆弱部が破断し、下壁部とカウルフロントパネルの固定が解除される。これにより、下壁部が荷重を受けながら車両後方に向かって移動しやすくなるため、良好な荷重吸収性が得られる。
【手続補正５】
【補正対象書類名】明細書
【補正対象項目名】００２７
【補正方法】変更
【補正の内容】
【００２７】
下壁部１２０は、開口１１０ａの下側の部分であって、カウルフロントパネル１０４の先端から前後方向に延び、後端において遮蔽板１３０に係止される。また下壁部１２０の下面１２０ａには、カウルフロントパネル１０４の先端への取付箇所となる取付部１２２が形成されていて、かかる取付部１２２と下壁部１２０との境界に脆弱な第１脆弱部１４０が設けられている。
【手続補正６】
【補正対象書類名】明細書
【補正対象項目名】００３２
【補正方法】変更
【補正の内容】
【００３２】
上述したように、第１実施例の車体前部構造１００では下壁部１２０と取付部１２２との境界に第１脆弱部１４０が形成されている。これにより、カウルトップガーニッシュ１１０のうち取付部１２２は、衝突荷重を受けると第１脆弱部１４０が破断し、カウルフロントパネル１０４との固定状態が解除される。したがって、下壁部１２０の車両後方に向かう移動を妨げることなく、衝突時の荷重吸収性能を好適に確保することができる。
【手続補正７】
【補正対象書類名】明細書
【補正対象項目名】００３６
【補正方法】変更
【補正の内容】
【００３６】
（第２実施例）
図６は、本発明にかかる車体前部構造の第２実施例を示す断面図である。図６（ａ）はカウルトップガーニッシュ１１０近傍の拡大図であり、図６（ｂ）は遮蔽板２３０の後端近傍の拡大図である。なお、以下、第１実施例の車体前部構造１００と実質的に同一の構成や機能については、同一の符号を付すことにより詳細な説明を省略する。
【手続補正８】
【補正対象書類名】明細書
【補正対象項目名】００４１
【補正方法】変更
【補正の内容】
【００４１】
図７は、衝突荷重を受けた際の第２実施例のカウルトップガーニッシュ１１０および遮蔽板２３０の挙動について説明する図である。図６（ａ）に示す車体前部構造２００においてカウルトップガーニッシュ１１０に被衝突体（不図示）が上方から衝突すると、図７（ａ）に示すように第２脆弱部２４０が破断し、下壁部２２０の前方領域２２２が後方に向かって移動する。
【手続補正書】
【提出日】令和1年10月31日(2019.10.31)
【手続補正１】
【補正対象書類名】特許請求の範囲
【補正対象項目名】全文
【補正方法】変更
【補正の内容】
【特許請求の範囲】
【請求項１】
取得した画像内のライン特徴を検出するためのシステムであって、
当該システムは、取得したシーンの画像を受け取るビジョンシステムプロセッサと、ラインファインダと、を備え、
上記ビジョンシステムプロセッサは、
（ａ）前記取得した画像を勾配場計算プロセスに供して２つの勾配コンポーネント画像及び１つの強度画像を生成し、
（ｂ）重み付けされた投影を前記２つの勾配画像及び１つの強度画像に適用して、前記２つの勾配コンポーネント画像及び投影画像の１次元（１Ｄ）投影プロファイルを得て、
（ｃ）前記２つの勾配コンポーネント画像の１Ｄ投影プロファイルを結合することにより候補エッジポイントを抽出するものであり、
上記ラインファインダは前記抽出されたエッジポイントと一致する複数のラインを生成するものである、
上記システム。
【請求項２】
前記ビジョンシステムプロセッサは、前記２つの勾配画像の１Ｄ投影プロファイルに基づいて、生のコントラストの大きさと正規化されたコントラストの大きさとを生成する、請求項１記載のシステム。
【請求項３】
前記正規化されたコントラストの大きさは前記２つの勾配場及び１つの強度画像に基づく請求項２記載のシステム。
【請求項４】
候補エッジポイントは、それぞれ閾値を超えている、生のコントラストの大きさ及び正規化されたコントラストの大きさを有する、請求項３記載のシステム。
【請求項５】
前記（ａ）に先立って、前記ビジョンシステムプロセッサは前記取得した画像の平滑化及びデシメーションを行う、請求項１記載のシステム。
【請求項６】
前記重み付けされた投影が一様に重み付けされた投影である請求項１記載のシステム。
【請求項７】
前記重み付けされた投影がガウス重み付けされた投影である請求項１記載のシステム。
【請求項８】
前記重み付けされた投影が１次元ガウスカーネルに基づくものである請求項１記載のシステム。
【請求項９】
前記２つの勾配画像は共通座標空間における２つの直交軸を表す請求項１記載のシステム。
【請求項１０】
取得した画像内のライン特徴を検出するための方法であって、
取得したシーンの画像を受け取り、
前記取得した画像を勾配場計算プロセスに供して２つの勾配コンポーネント画像及び１つの強度画像を生成し、
重み付けされた投影を前記２つの勾配コンポーネント画像及び１つの強度画像に適用して、前記２つの勾配コンポーネント画像及び投影画像の１次元（１Ｄ）投影プロファイルを得て、
前記２つの勾配コンポーネント画像の１Ｄ投影プロファイルを結合することにより候補エッジポイントを抽出し、かつ
前記抽出されたエッジポイントと一致する複数のラインを生成する、
上記方法。
【請求項１１】
さらに、前記２つの勾配画像の１Ｄ投影プロファイルに基づいて、生のコントラストの大きさと正規化されたコントラストの大きさとを生成する、請求項１０記載の方法。
【請求項１２】
前記正規化されたコントラストの大きさは前記２つの勾配場及び１つの強度画像に基づく請求項１１記載の方法。
【請求項１３】
候補エッジポイントは、それぞれ閾値を超えている、生のコントラストの大きさ及び正規化されたコントラストの大きさを有する、請求項１２記載の方法。
【請求項１４】
前記（ａ）に先立って、前記取得した画像の平滑化及びデシメーションを行う、請求項１０記載の方法。
【請求項１５】
前記重み付けされた投影が一様に重み付けされた投影である請求項１０記載の方法。
【請求項１６】
前記重み付けされた投影がガウス重み付けされた投影である請求項１０記載の方法。
【請求項１７】
前記重み付けされた投影が１次元ガウスカーネルに基づくものである請求項１０記載の方法。
【請求項１８】
前記２つの勾配画像は共通座標空間における２つの直交軸を表す請求項１０記載の方法。